(57)【特許請求の範囲】
【請求項１】
熱交換器および複数の吹出口を有する化粧パネルを備えた室内ユニット筐体と、前記熱交換器に室内空気を循環させ、前記複数の吹出口より吹き出す空気の風量を変更する複数の送風機と、前記複数の吹出口より吹き出す空気の風向を変更する上下フラップまたは左右ベーンと、を備えた空気調和機において、前記複数の吹出口の各吹出口毎に設けられたゾーン表示ランプを前記化粧パネルまたは前記室内ユニット筐体に備え、前記複数の吹出口の１つの吹出口より吹き出される風量、風向の設定をする場合に、設定している前記１つの吹出口の前記ゾーン表示ランプを点灯し、前記複数の吹出口より吹き出される風量、風向の設定を同時に行なう場合に、設定している前記複数の吹出口の前記ゾーン表示ランプをすべて点灯または消灯または点滅するようにしたことを特徴とする空気調和機。
【請求項２】
熱交換器および２つの吹出口を有する化粧パネルを備えた室内ユニット筐体と、前記熱交換器に室内空気を循環させ、前記２つの吹出口より吹き出す空気の風量を変更する２つの送風機と、を備えた空気調和機において、前記２つの吹出口の第１の吹出口と第２の吹出口それぞれに設けられたゾーン表示ランプを前記化粧パネルまたは前記室内ユニット筐体に備え、前記第１の吹出口から吹き出される風量を前記第２の吹出口から吹き出される風量より大となるような風量に風量比をつけた運転を行なっている場合には、前記第１の吹出口または前記第２の吹出口の前記ゾーン表示ランプを点灯し、前記２つの吹出口から吹き出される風量の比率を変更した運転中であることを認識できるようにしたことを特徴とする空気調和機。
【請求項３】
熱交換器および２つの吹出口を有する化粧パネルを備えた室内ユニット筐体と、前記熱交換器に室内空気を循環させ、前記２つの吹出口より吹き出す空気の風量を変更する２つの送風機と、を備えた空気調和機において、前記２つの吹出口の第１の吹出口と第２の吹出口それぞれに設けられたゾーン表示ランプを前記化粧パネルまたは前記室内ユニット筐体に備え、前記第１の吹出口から吹き出される風量を前記第２の吹出口から吹き出される風量より大となるような風量に風量比をつけた運転を行なっている場合には、前記第１の吹出口または前記第２の吹出口の前記ゾーン表示ランプを点灯し、前記２つの吹出口から吹き出される風量の比率の等しい運転をする場合には、風量の比率の等しい運転を行なっている前記２つの吹出口の前記ゾーン表示ランプをすべて点灯または消灯または点滅するようにしたことを特徴とする空気調和機。
【請求項４】
故障発生時にはどの前記吹出口側に対応している部品に関する故障であるかを、故障が発生した前記吹出口側の前記ゾーン表示ランプを点滅または点灯して表示するようにしたことを特徴とする請求項１ないし請求項３に記載の空気調和機。
【請求項５】
設定温度と室温との温度差に応じて運転状態を表示する表示ランプを前記ゾーン表示ランプの近傍に設置したことを特徴とする請求項１ないし請求項４記載の空気調和機。
【請求項６】
設定温度と室温について表示する表示ランプを前記ゾーン表示ランプの近傍に設置したことを特徴とする請求項１ないし請求項４記載の空気調和機。
【請求項７】
故障発生内容を表示する表示ランプを前記ゾーン表示ランプの近傍に設置したことを特徴とする請求項１ないし請求項６記載の空気調和機。
【請求項８】
設定温度と室温との温度差に応じた運転状態表示と故障発生内容の表示を兼用して表示をする表示ランプを前記ゾーン表示ランプの近傍に設置したことを特徴とする請求項５又は請求項７記載の空気調和機。
【請求項９】
設定温度と室温、故障発生内容の表示を兼用して表示をする表示ランプを前記ゾーン表示ランプの近傍に設置したことを特徴とする請求項６又は請求項７記載の空気調和機。
【請求項１０】
前記吹出口を表示する前記ゾーン表示ランプは他の表示ランプと別の色、または形状としたことを特徴とする請求項５ないし請求項９記載の空気調和機。
【請求項１１】
前記送風機を運転するファンモータを備え、前記送風機の回転数を調節して前記吹出口から吹き出される風量を変更したことを特徴とする請求項１ないし請求項１０記載の空気調和機。
【発明の詳細な説明】
【０００１】
【発明の属する技術分野】
この発明は、天井埋込形空気調和機の室内機の表示装置に関するものである。
【０００２】
【従来の技術】
図１５は従来の２方向天井カセット形エアコンの斜視図である。図１６はそのエアコンの運転表示部である。図において、１は室内ユニット筐体、２は化粧パネル、３は吸込口、４ａおよび４ｂは前記ユニット筐体１および化粧パネル２の奥行き方向において対称に位置する第１の吹出口および第２の吹出口、５ａおよび５ｂはそれぞれ第１、第２の吹出口４ａ、４ｂに位置する第１の上下風向フラップおよび第２の上下風向フラップ、６は化粧パネル２の幅方向において概中央かつ奥行き方向において第１の吹出口４ａ側に位置する表示装置である。８はこの表示装置の表示部で、除湿ランプ８ａ、運転ランプ８ｂ、タイマーランプ８ｃをそなえている。
【０００３】
次に動作について説明する。吸込口３より吸い込まれた空調空間の空気は、ユニット筐体１内の送風機（図示せず）による送風作用で熱交換器（図示せず）で熱交換された後、化粧パネル２の第１の吹出口および第２の吹出口４ａ、４ｂより吹き出される際に、第１、第２の上下風向フラップ５ａ、５ｂ、または第１第２の左右ベーン（図示せず）によって風向を偏向され、エアコンの運転状態は表示装置６により表示される。表示部８は通常運転中は運転ランプ８ｂ点灯、除湿運転中は除湿ランプ８ａ点灯、タイマー予約中はタイマーランプ８ｃ点灯、暖房予熱中、暖房霜取り中または暖房自動運転開始時は運転ランプ８ｂ点滅、故障発生時はタイマーランプ８ｃ点滅といった表示を行い、ユニットの運転状態について使用者に知らせることを目的としたものである。
【０００４】
また、この他に車両用空気調和装置の表示手段として、複数個の吹出口のそれぞれに吐出風量を表示する手段を設け、風量変化を表示する技術が特開平５−５８１４９号公報に開示されている。
【０００５】
また、２個のゾーン別のランプ表示方式ではないが、それぞれ個別吹出口の風量変化を表示している技術が、特開昭６４−２２６１９号公報に開示されている。
【０００６】
【発明が解決しようとする課題】
従来の天井埋込形空気調和機の表示装置は、２つの吹出口を備えた２方向天井カセット形エアコンという機種特徴から、部屋中央部の天井に設置される場合が多く、吹出口のどちらか一方または両方の側に使用者が存在することが多いなかで、使用者に２つの吹出口とそこに位置する上下風向フラップ、または左右ベーンについてそれぞれを明確に区別認識する手段がないため、使用する際には使用者が常に認識していなければならないといった問題があった。
【０００７】
また、一方の吹出口より吹き出される風量、風向の設定をリモコンにて行う場合に、リモコンには上下風向フラップまたは左右ベーン個別にリモコンボタンはあるが本体に表示がないため、使用者はどちらの吹出口に関する風量、風向の設定を行っているかが明確に認識できず、本体付近にて風量、上下風向フラップまたは左右ベーンの動作を一つ一つ確認しながらリモコン操作をしなければならないといった問題があった。
【０００８】
さらに、２つの吹出口から吹き出される風量の比率を変更した運転をする場合に、リモコンには風量大となる吹出口を指定するボタンはあるが本体に表示がないため、使用者はどちらの吹出口に関する風量を大または小とする設定を行っているかが明確に認識出来ず、本体付近にて風量比率を体感または聴感にて確認しながらリモコン操作をしなければならず、またその比率が小さい場合には容易に区別出来ない場合がある、また比率を変更した運転中であることをエアコン本体では確認出来ないといった問題があった。
【０００９】
さらにまた、２つの吹出口から吹き出される風量の比率の等しい運転をする場合に、そのような運転中であることをエアコン本体側では確認出来ないといった問題があった。
【００１０】
また、故障が発生した場合には、どちらの吹出口側に対応する部品に関するものであるかを、容易にかつ明確に特定することが出来ないといった問題があった。
【００１１】
この発明は上記のような問題点を解消するためになされたもので、複数の吹出口について特に常時区別認識しておく必要がなく、風量、風向の設定や風量比率大小の吹出口設定および風量比有／無運転中の認識が容易に出来るとともに、故障発生時には故障個所を容易にかつ明確に特定出来る天井埋込形空気調和機の表示装置を得ることを目的とする。
【００１２】
また、室内中央天井に設置されたエアコンの運転状態を、室内のどの位置に居ても使用者の希望する運転で管理できることを目的とする。
【００１３】
【課題を解決するための手段】
この発明に係る空気調和機は、熱交換器および複数の吹出口を有する化粧パネルを備えた室内ユニット筐体と、前記熱交換器に室内空気を循環させ、前記複数の吹出口より吹き出す空気の風量を変更する複数の送風機と、前記複数の吹出口より吹き出す空気の風向を変更する上下フラップまたは左右ベーンと、を備えた空気調和機において、前記複数の吹出口の各吹出口毎に設けられたゾーン表示ランプを前記化粧パネルまたは前記室内ユニット筐体に備え、前記複数の吹出口の１つの吹出口より吹き出される風量、風向の設定をする場合に、設定している前記１つの吹出口の前記ゾーン表示ランプを点灯し、前記複数の吹出口より吹き出される風量、風向の設定を同時に行なう場合に、設定している前記複数の吹出口の前記ゾーン表示ランプをすべて点灯または消灯または点滅するようにしたものである。
【００１６】
また、この発明に係る空気調和機は、熱交換器および２つの吹出口を有する化粧パネルを備えた室内ユニット筐体と、前記熱交換器に室内空気を循環させ、前記２つの吹出口より吹き出す空気の風量を変更する２つの送風機と、を備えた空気調和機において、前記２つの吹出口の第１の吹出口と第２の吹出口それぞれに設けられたゾーン表示ランプを前記化粧パネルまたは前記室内ユニット筐体に備え、前記第１の吹出口から吹き出される風量を前記第２の吹出口から吹き出される風量より大となるような風量に風量比をつけた運転を行なっている場合には、前記第１の吹出口または前記第２の吹出口の前記ゾーン表示ランプを点灯し、前記２つの吹出口から吹き出される風量の比率を変更した運転中であることを認識できるようにしたものである。
【００１７】
また、この発明に係る空気調和機は、熱交換器および２つの吹出口を有する化粧パネルを備えた室内ユニット筐体と、前記熱交換器に室内空気を循環させ、前記２つの吹出口より吹き出す空気の風量を変更する２つの送風機と、を備えた空気調和機において、前記２つの吹出口の第１の吹出口と第２の吹出口それぞれに設けられたゾーン表示ランプを前記化粧パネルまたは前記室内ユニット筐体に備え、前記第１の吹出口から吹き出される風量を前記第２の吹出口から吹き出される風量より大となるような風量に風量比をつけた運転を行なっている場合には、前記第１の吹出口または前記第２の吹出口の前記ゾーン表示ランプを点灯し、前記２つの吹出口から吹き出される風量の比率の等しい運転をする場合には、風量の比率の等しい運転を行なっている前記２つの吹出口の前記ゾーン表示ランプをすべて点灯または消灯または点滅するようにしたものである。
【００１８】
また、この発明に係る空気調和機は、故障発生時にはどの前記吹出口側に対応している部品に関する故障であるかを、故障が発生した前記吹出口側の前記ゾーン表示ランプを点滅または点灯して表示するようにしたものである。
【００１９】
また、この発明に係る空気調和機は、設定温度と室温との温度差に応じて運転状態を表示する表示ランプを前記ゾーン表示ランプの近傍に設置したものである。
【００２０】
また、この発明に係る空気調和機は、設定温度と室温について表示する表示ランプを前記ゾーン表示ランプの近傍に設置したものである。
【００２１】
また、この発明に係る空気調和機は、故障発生内容を表示する表示ランプを前記ゾーン表示ランプの近傍に設置したものである。
【００２２】
また、この発明に係る空気調和機は、設定温度と室温との温度差に応じた運転状態表示と故障発生内容の表示を兼用して表示をする表示ランプを前記ゾーン表示ランプの近傍に設置したものである。
【００２３】
また、この発明に係る空気調和機は、設定温度と室温、故障発生内容の表示を兼用して表示をする表示ランプを前記ゾーン表示ランプの近傍に設置したものである。
【００２４】
また、この発明に係る空気調和機は、前記吹出口を表示する前記ゾーン表示ランプは他の表示ランプと別の色、または形状としたものである。
【００２６】
【発明の実施の形態】
実施の形態１．
以下、この発明の実施の形態１による天井埋込形空気調和機の表示装置について説明する。図１はこの発明の実施の形態１による天井埋込形空気調和機の表示装置の断面図、図２は化粧パネルの正面図、図３は要部を示す表示装置である。図において、１は室内ユニット筐体、２は化粧パネル、３は空調空間の空気を吸い込む吸込口、４ａおよび４ｂは前記ユニット筐体１および化粧パネル２の奥行き方向において対称に位置する第１の吹出口および第２の吹出口、５ａおよび５ｂはそれぞれ前記第１、第２の吹出口４ａ、４ｂに位置する第１、第２の上下風向フラップ、７ａ、７ｂは第１、第２の左右ベーンで、前記第１、第２の吹出口４ａおよび４ｂの第１、第２の上下風向フラップ５ａ、５ｂ内側に位置している。これら第１、第２の上下風向フラップ５ａ、５ｂ及び第１、第２の左右ベーン７ａ、７ｂは使用者の要求に基づくリモコン（図示せず）からの指令により、第１、第２の吹出口４ａ、４ｂから吹き出される風の方向を同時にまたは個別に設定、変更することが出来る。８は化粧パネル２の長さ方向一方隅部に位置する表示部で、第１ゾーン表示ランプ８ｄ、第２ゾーン表示ランプ８ｅからなっている。表示部８はユニット筐体１に取付けられても良い。また、前記第１ゾーン表示ランプ８ｄ、第２ゾーン表示ランプ８ｅは故障発生時には第１、第２の吹出口４ａ、４ｂのどちらの側に関するものかを表示する機能も兼ね備えている。９ａ、９ｂは天井埋込形空気調和機の筐体１内に逆Ｖに配置した第１、打２の熱交換器、１０ａ、１０ｂはこの第１、第２の熱交換器の第１、第２の吹出口４ａ、４ｂ側に配置した送風作用を行う貫流送風機で、使用者の要求に基づくリモコン（図示せず）からの指令により、第１、第２の吹出口４ａ、４ｂから吹き出される風量の比率を同一、または変更した運転をそれぞれの回転数を調整する機能を有する。
【００２７】
次にこの発明の実施の形態１である天井埋込形空気調和機の表示装置の動作を図２、図３、図４、図５、図６、図７及び図８により説明する。まず、第１、第２の貫流送風機１０ａ、１０ｂが回転し、その送風作用により吸込口３から吸い込まれた空調空間の空気は第１、第２の熱交換器９ａ、９ｂを通過して熱交換され、第１、第２の吹出口４ａ、４ｂへと流れ第１、第２の上下風向フラップ５ａ、５ｂ、第１、第２の左右ベーン７ａ、７ｂにより偏向されて再度空調空間へと吹き出される。ここで２つの第１、第２の吹出口４ａ、４ｂを備えた２方向天井埋込形空気調和機という機種特徴から部屋概中央の天井に設置される場合が多く、第１、第２の吹出口４ａ、４ｂのどちらか一方または両方の側に使用者が存在することが多いなかで、空調機の使用者に２つの第１、第２の吹出口４ａ、４ｂと、そこに位置する第１、第２の上下風向フラップ５ａ、５ｂ、第１、第２の左右ベーン７ａ、７ｂについてそれぞれを明確に区別認識させる必要がある。
【００２８】
そのため、第１、第２の２つの吹出口４ａ、４ｂに関する表示をリモコン（図示せず）だけでなく表示部７の第１ゾーン表示ランプ８ｄ、第２ゾーン表示ランプ８ｅにより行うことで、使用者は常に第１、第２の吹出口４ａ、４ｂと第１、第２の上下風向フラップ５ａ、５ｂまたは第１、第２の左右ベーン７ａ、７ｂがそれぞれどちらに位置しているものか、操作しているリモコンのボタンと第１、第２の吹出口４ａ、４ｂの関係を認識していなくても表示部８により容易にかつ明確に認識することができる。
【００２９】
そして、リモコン（図示せず）からの指令により、第１の吹出口４ａより吹き出される風量を送風機１０ａの回転数により設定、変更している場合や、第１の吹出口４ａより吹き出される風の方向を第１の上下風向フラップ５ａ、または第１の左右ベーン７ａの角度により設定、変更している場合には、図４に示すように第１ゾーン表示ランプ８ｄが点灯することで、使用者はエアコン本体付近で動作を確認しながらリモコン操作をしなくても容易に認識することが出来る。同様に第２の吹出口４ｂより吹き出される風量、第２の上下風向フラップ５ｂ、または第２の左右ベーン７ｂの角度を設定、変更している場合には、図５に示すように第２ゾーン表示ランプ８ｅが点灯することで動作している側の吹出口４を容易に認識することが出来る効果を得る。
【００３０】
また、リモコン（図示せず）からの指令により、第１、第２の吹出口４ａ、４ｂより吹き出される風量を第１、第２の貫流送風機１０ａ、１０ｂの回転数により同時に設定、変更している場合や、第１、第２の吹出口４ａ、４ｂより吹き出される風の方向を第１、第２の上下風向フラップ５ａ、５ｂまたは第１、第２の左右ベーン７ａ、７ｂの角度により同時に設定、変更している場合には、図３に示すように第１ゾーン表示ランプ８ｄ、第２ゾーン表示ランプ８ｅがどちらも消灯、または図６に示すように第１ゾーン表示ランプ８ｄ、第２ゾーン表示ランプ８ｅがどちらも点灯することで使用者は容易に認識することが出来る。このように第１、第２の貫流送風機１０ａ、１０ｂによる風量や第１、第２の上下風向フラップ５ａ、５ｂや第１、第２の左右ベーン７ａ、７ｂを同様に制御するときは第１ゾーン表示ランプ８ｄ、第２ゾーン表示ランプ８ｅは同様な表示を行うものとし、例えば第１ゾーン表示ランプ８ｄ、第２ゾーン表示ランプ８ｅ両方のランプが点滅表示をしても良い。
【００３１】
また、リモコン（図示せず）からの指令により、第１の吹出口４ａより吹き出される風量を第２の吹出口４ｂより吹き出される風量より大となるような運転を第１、第２の貫流送風機１０ａ、１０ｂの回転数設定により行っている場合には、図４に示すように第１ゾーン表示ランプ８ｄが点灯することで、使用者はエアコン本体付近で風量比を感覚、聴感等で確認しながらリモコン操作をしなくても容易に、または風量比が感覚、聴感等で確認するのが困難な風量比が小さい場合でも、容易に認識することが出来る。加えて第１、第２の吹出口４ａ、４ｂからの風量に風量比をつけた運転中であることをリモコンの表示を見ることなしに使用者が容易に認識することが出来る。逆に図５に示すように、風量が小となる第２の吹出口４ｂについて第２ゾーン表示ランプ８ｅが点灯しても良い。同様に第２の吹出口４ｂから吹き出される風量を第１の吹出口４ａより吹き出される風量より大とする場合は、図５に示すように第２ゾーン表示ランプ８ｅが点灯する。逆に図４に示すように風量が小となる第１の吹出口４ａについて第１ゾーン表示ランプ８ｄが点灯しても良い。
【００３２】
また、リモコン（図示せず）からの指令により、第１、第２の吹出口４ａ、４ｂから吹き出される風量を等しくするような運転を第１、第２の貫流送風機１０ａ、１０ｂの回転数設定により行っている場合には、図１に示すように第１ゾーン表示ランプ８ｄ、第２ゾーン表示ランプ８ｅがどちらも消灯、または図６に示すように第１ゾーン表示ランプ８ｄ、第２ゾーン表示ランプ８ｅがどちらも点灯することで使用者は容易に認識することが出来る。このように第１、第２の吹出口４ａ、４ｂから吹き出される風量を等しくするような運転をする場合には、第１ゾーン表示ランプ８ｄ、第２ゾーン表示ランプ８ｅは同様な表示を行うものとし、例えば第１ゾーン表示ランプ８ｄ、第２ゾーン表示ランプ８ｅ両方のランプが点滅表示をしても良い。
【００３３】
また、第１の貫流送風機１０ａを運転するファンモータ（図示せず）や第１の上下フラップ５ａを運転するベーンモータ（図示せず）や、第１の左右ベーン７ａを運転するベーンモータ（図示せず）や、第１の熱交換器９ａに取り付けられたサーミスタ（図示せず）といった第１の吹出口４ａ側に関する故障が発生した時には、図７に示すように第１ゾーン表示ランプ８ｄが、点滅または図４に示すように点灯する。同様に第２の吹出口４ｂ側に関する故障発生時には、図８に示すように第２ゾーン表示ランプ８ｅが、点滅または図５に示すように点灯する。このようにすることで、２方向吹き出しということでファンモータ（図示せず）、ベーンモータ（図示せず）、サーミスタ（図示せず）などといった複数ある部品について、どちらの吹出口に関するものであるかを容易に知らせることが可能となり、サービス性が向上する。
【００３４】
なお、この発明の実施の形態１では、吹出口４、上下風向フラップ５、左右ベーン７、熱交換器９、送風機１０が２方向吹出しで、それぞれ２つの場合について説明したが、３方向吹出し、４方向吹出しで、機器が３つ、４・・という場合についても言うまでもない。
【００３５】
実施の形態２．
以下、この発明の実施の形態２による天井埋込形空気調和機について説明する。図９−ａはこの発明の一実施の形態２を示す天井埋込形空気調和機の表示部。図９−ａにおける吹出口に関する表示部８の第１、第２のゾーン表示８ｄ、８ｅについては図３、図４、図５、図６、図７，図８を用いて説明する。
【００３６】
図において、１は室内ユニット筐体、２は化粧パネル、３は空調空間の空気を吸い込む吸込口、４ａおよび４ｂは前記ユニット筐体１および化粧パネル２の奥行き方向において対称に位置する第１の吹出口および第２の吹出口、５ａおよび５ｂはそれぞれ前記第１、第２の吹出口４ａ、４ｂに位置する第１、第２の上下風向フラップ、７ａ、７ｂは第１、第２の左右ベーンで、前記第１、第２の吹出口４ａおよび４ｂの第１、第２の上下風向フラップ５ａ、５ｂ内側に位置している。これら第１、第２の上下風向フラップ５ａ、５ｂ及び第１、第２の左右ベーン７ａ、７ｂは使用者の要求に基づくリモコン（図示せず）からの指令により、第１、第２の吹出口４ａ、４ｂから吹き出される風の方向を同時にまたは個別に設定、変更することが出来る。８は化粧パネル２の長さ方向一方隅部に位置する表示部で、第１ゾーン表示ランプ８ｄ、第２ゾーン表示ランプ８ｅからなっている。表示部８はユニット筐体１に取付けられても良い。また、前記第１ゾーン表示ランプ８ｄ、第２ゾーン表示ランプ８ｅは故障発生時には第１、第２の吹出口４ａ、４ｂのどちらの側に関するものかを表示する機能も兼ね備えることが出来る。９ａ、９ｂは天井埋込形空気調和機の筐体１内に逆Ｖに配置した第１、第２の熱交換器、１０ａ、１０ｂはこの第１、第２の熱交換器の第１、第２の吹出口４ａ、４ｂ側に配置した送風作用を行う貫流送風機で、使用者の要求に基づくリモコン（図示せず）からの指令により、第１、第２の吹出口４ａ、４ｂから吹き出される風量の比率を同一、または変更した運転をそれぞれの回転数を調整することで行うことが出来る。１１ａ、１１ｂは周知の技術によりエアコンの設定温度とエアコン本体で検出された温度を基に制御している室温との差に応じた表示を行う第１パワーモニタランプ、第２パワーモニタランプであり、前記第１、第２のゾーン表示ランプ８ｄ、８ｅの近傍に位置している。
【００３７】
これら第１ゾーン表示ランプ８ｄ、第２ゾーン表示ランプ８ｅと第１パワーモニタランプ１１ａ、第２パワーモニタランプ１１ｂは、図９−ｂに示す配置であっても良い。
【００３８】
また、第１ゾーン表示ランプ８ｄ、第２ゾーン表示ランプ８ｅは故障発生時には第１、第２の吹出口４ａ、４ｂのどちらの側に関するものかを表示する機能も兼ね備えることも出来る。第１パワーモニタランプ１１ａ、第２パワーモニタランプ１１ｂは周知の技術により、故障発生時にはその内容、故障部品について表示する機能を兼ね備えることも出来る。故障発生時の内容と故障部品の表示については、図１０に示す故障表示用ランプ１２を別に設けても良い。
【００３９】
次にこの発明の実施の形態２による天井埋込形空気調和機の表示部動作を説明する。貫流送風機１０ａ、１０ｂが回転し、その送風作用により吸込口３から吸い込まれた空調空間の空気は第１、第２の熱交換器９ａ、９ｂを通過して熱交換され、第１、第２の吹出口４ａ、４ｂへと流れ第１、第２の上下風向フラップ５ａ、５ｂ、第１、第２の左右ベーン７ａ、７ｂにより偏向されて再度空調空間へと吹き出される。エアコンの設定温度とエアコン本体で検出された温度を基に制御している室温との差に応じた表示については、周知の技術により図示はしていないが、その差がある値より大きい場合には第１、第２のパワーモニタランプ１１ａ、１１ｂが両方点灯し、ある値より小さい場合には第１のパワーモニタランプ１１ａのみが点灯することにより、エアコンの運転状態を使用者に知らせている。
【００４０】
また、第１、第２の吹出口を備えた２方向天井埋込形空気調和機という機種特徴から部屋概中央の天井に設置される場合が多く、第１、第２の吹出口のどちらか一方または両方の側に使用者が存在することが多いなかで、空調機を使用する中で使用者に第１、第２の吹出口と、そこに位置する第１、第２の上下風向フラップ、第１、第２の左右ベーンについてそれぞれを明確に区別認識させる必要がある。
【００４１】
そのため、第１、第２の吹出口に関する表示をリモコン（図示せず）だけでなく表示部８における第１、第２のゾーン表示ランプ８ｄ、８ｅにより行うことで、使用者は常に第１、第２の吹出口４ａ、４ｂと第１、第２の上下風向フラップ５ａ、５ｂ、または第１、第２の左右ベーン７ａ、７ｂがそれぞれどちらに位置しているものか、操作しているリモコンのボタンと第１、第２の吹出口４ａ、４ｂの関係を認識していなくても表示部７により容易にかつ明確に知ることが出来る。
【００４２】
また、リモコン（図示せず）からの指令により、第１の吹出口４ａより吹き出される風量を第１の貫流送風機１０ａの回転数により設定、変更している場合や、第１の吹出口４ａより吹き出される風の方向を第１の上下風向フラップ５ａ、または第１、第２の左右ベーン７ａ、７ｂの角度により設定、変更している場合には、図４に示すように第１ゾーン表示ランプ８ｄが点灯することで使用者はエアコン本体付近で動作を確認しながらリモコン操作をしなくても容易に認識することが出来る。同様に第２の吹出口４ｂより吹き出される風量、第２の上下風向フラップ５ｂまたは第２の左右ベーン７ｂの角度を設定、変更している場合には図５に示すように第２ゾーン表示ランプ８ｅが点灯することで効果を得る。
【００４３】
また、リモコン（図示せず）からの指令により、第１、第２の吹出口４ａ、４ｂより吹き出される風量を第１、第２の貫流送風機１０ａ、１０ｂの回転数により同時に設定、変更している場合や、第１、第２の吹出口４ａ、４ｂより吹き出される風の方向を第１、第２の上下風向フラップ５ａ、５ｂまたは第１、第２の左右ベーン７ａ、７ｂの角度により同時に設定、変更している場合には、図１に示すように第１ゾーン表示ランプ８ｄ、第２ゾーン表示ランプ８ｅｂがどちらも消灯、または図６に示すように第１ゾーン表示ランプ８ｄ、第２ゾーン表示ランプ８ｅがどちらも点灯することで使用者は容易に認識することが出来る。このように貫流送風機１０ａ、１０ｂによる風量や第１、第２の上下風向フラップ５ａ、５ｂや第１、第２の左右ベーン７ａ、７ｂを同様に制御するときは第１、第２のゾーン表示ランプ８ｄ、８ｅは同様な表示を行うものとし、例えば第１ゾーン表示ランプ８ｄ、第２ゾーン表示ランプ８ｅ両方のランプが点滅表示をしても良い。
【００４４】
また、リモコン（図示せず）からの指令により、第１の吹出口４ａより吹き出される風量を第２の吹出口４ｂより吹き出される風量より大となるような運転を第１、第２貫流送風機１０ａ、１０ｂの回転数設定により行っている場合には、図４に示すように第１ゾーン表示ランプ８ｄが点灯することで使用者はエアコン本体付近で風量比を感覚、聴感等で確認しながらリモコン操作をしなくてもに容易に、また風量比が感覚、聴感等で確認するのが困難な風量比が小さい場合でも容易に認識することが出来る。加えて第１、第２の吹出口４ａ、４ｂからの風量に風量比をつけた運転中であることをリモコンの表示を見ることなしに使用者が容易に認識することが出来る。逆に図５に示すように風量が小となる第２の吹出口４ｂについて第２ゾーン表示ランプ８ｅが点灯しても良い。同様に第２の吹出口４ｂから吹き出される風量を第１の吹出口４ａより吹き出される風量より大とする場合は、図５に示すように第２ゾーン表示ランプ８ｅが点灯する。逆に図４に示すように風量が小となる第１の吹出口４ａについて第１ゾーン表示ランプ８ｄが点灯しても良い。
【００４５】
また、リモコン（図示せず）からの指令により、第１、第２の吹出口４ａ、４ｂから吹き出される風量を等しくするような運転を第１、第２の貫流送風機１０ａ、１０ｂの回転数設定により行っている場合には、図３に示すよう第１ゾーン表示ランプ８ｄ、第２ゾーン表示ランプ８ｅがどちらも消灯、または図６に示すように第１ゾーン表示ランプ８ｄ、第２ゾーン表示ランプ８ｅがどちらも点灯することで使用者は容易に認識することが出来る。
【００４６】
このように、第１、第２の吹出口４ａ、４ｂから吹き出される風量を等しくするような運転をする場合には、第１ゾーン表示ランプ８ｄ、第２ゾーン表示ランプ８ｅは同様な表示を行うものとし、例えば第１ゾーン表示ランプ８ｄ、第２ゾーン表示ランプ８ｅ両方のランプが点滅表示をしても良い。
【００４７】
また、第１の貫流送風機１０ａを運転するファンモータ（図示せず）や第１の上下フラップ５ａを運転するベーンモータ（図示せず）や第１の左右ベーン７ａを運転するベーンモータ（図示せず）や第１の熱交換器９ａに取り付けられたサーミスタ（図示せず）といった第１の吹出口４ａ側に関する故障が発生した時には、図７に示すように第１ゾーン表示ランプ８ｄが、点滅または図４に示すように点灯する。同様に第２の吹出口４ｂ側に関する故障発生時には、図８に示すように第２ゾーン表示ランプ８ｅが、点滅または図５に示すように点灯する。このようにすることで、２方向吹き出しということでファンモータ（図示せず）、ベーンモータ（図示せず）、サーミスタ（図示せず）などといった複数ある部品について、どちらの吹出口に関するものであるかを容易に知らせることが可能となり、サービス性が向上する。
【００４８】
また、第１、第２のパワーモニタランプ１１ａ、１１ｂは周知の技術により図示はしていないが、故障発生時にはどちらまたは両方のランプが点滅するかとその点滅回数によりその内容、故障部品について表示する機能を兼ね備えることも出来るため、そのような場合には第１ゾーン表示ランプ８ｄ、第２ゾーン表示ランプ８ｅの表示とあわせて、第１、第２どちらの吹出口に関するどの部品の故障であるかまで表示により特定することが可能となり、サービス性を更に向上させることも出来る。
【００４９】
なお、第１ゾーン表示ランプ８ｄ、第２ゾーン表示ランプ８ｅの表示を第１パワーモニタランプ１１ａ、第２パワーモニタランプ１１ｂと表示色または形状を変更しても良く、この場合は２種類のランプの表示の区別がより明確になるといった効果が得られる。
【００５０】
この実施の形態２において、周知の技術である第１、第２パワーモニタランプ１１ａ、１１ｂと、この発明に関する第１ゾーン表示ランプ８ｄ、第２ゾーン表示ランプ８ｅを追加し部品点数としては増加してはいるものの、近傍に設置していることから部品としては一体化することも可能であるため、一体化した場合には解体性という点では従来技術に比べて同等である。
【００５１】
実施の形態３．
以下、この発明の実施の形態３による天井埋込形空気調和機の表示部について説明する。図１１−ａ、図１１−ｂはこの発明の実施の形態３を示す天井埋込形空気調和機の表示部である。図１１ａにおける吹出口に関する表示部のについては図３、４、５、６、７，８を用いて説明する。図において、１は室内ユニット筐体、２は化粧パネル、３は空調空間の空気を吸い込む吸込口、４ａおよび４ｂは前記ユニット筐体１および化粧パネル２の奥行き方向において対称に位置する第１の吹出口および第２の吹出口、５ａおよび５ｂはそれぞれ前記第１、第２の吹出口４ａ、４ｂに位置する第１、第２の上下風向フラップ、７ａ、７ｂは第１、第２の左右ベーンで、前記第１、第２の吹出口４ａおよび４ｂの第１、第２の上下風向フラップ５ａ、５ｂ内側に位置している。これら第１、第２の上下風向フラップ５ａ、５ｂ及び第１、第２の左右ベーン７ａ、７ｂは使用者の要求に基づくリモコン（図示せず）からの指令により、第１、第２の吹出口４ａ、４ｂから吹き出される風の方向を同時にまたは個別に設定、変更することが出来る。８は化粧パネル２の長さ方向一方隅部に位置する表示部で、第１ゾーン表示ランプ８ａ、第２ゾーン表示ランプ８ｂからなっている。表示部８はユニット筐体１に取付けられても良い。また、前記第１ゾーン表示ランプ８ａ、第２ゾーン表示ランプ８ｂは故障発生時には第１、第２の吹出口４ａ、４ｂのどちらの側に関するものかを表示する機能も兼ね備えることが出来る。９ａ、９ｂは天井埋込形空気調和機の筐体１内に逆Ｖに配置した第１、第２の熱交換器、１０ａ、１０ｂはこの第１、第２の熱交換器の第１、第２の吹出口４ａ、４ｂ側に配置した送風作用を行う貫流送風機で、使用者の要求に基づくリモコン（図示せず）からの指令により、第１、第２の吹出口４ａ、４ｂから吹き出される風量の比率を同一、または変更した運転をそれぞれの回転数を調整することで行うことが出来る。
【００５２】
１３ａ、１３ｂ、１３ｃ、１３ｄ、１３ｅ、１３ｆ、１３ｇおよび１３ｈは前記ユニット筐体１または化粧パネル２に位置する表示装置８中に配置され周知の技術によりエアコンの設定温度とエアコン本体で検出された温度を基に制御している室温について、それぞれ表示を行う第１温度モニタランプ、第２温度モニタランプ、第３温度モニタランプ、第４温度モニタランプ、第５温度モニタランプ、第６温度モニタランプ、第７温度モニタランプ、第８温度モニタランプ、であり、前記第１ゾーン表示ランプ８ａ、第２ゾーン表示ランプ８ｂの近傍に位置している。前記第１ゾーン表示ランプ８ａ、第２ゾーン表示ランプ８ｂと第１、第２、第３、第４、第５、第６、第７、第８温度モニタランプ１３ａ、１３ｂ、１３ｃ、１３ｄ、１３ｅ、１３ｆ、１３ｇ、１３ｈは、図１１−ｂのような配置であっても良い。また、第１ゾーン表示ランプ８ａ、第２ゾーン表示ランプ８ｂは故障発生時には第１、第２の吹出口４ａ、４ｂのどちらの側に関するものかを表示する機能も兼ね備えることも出来る。第１温度モニタランプ１３ａ、第２温度モニタランプ１３ｂ、第３温度モニタランプ１３ｃ、第４温度モニタランプ１３ｄ、第５温度モニタランプ１３ｅ、第６温度モニタランプ１３ｆ、第７温度モニタランプ１３ｇ、第８温度モニタランプ１３ｈは周知の技術により、故障発生時にはその内容、故障部品について表示する機能を兼ね備えることも出来る。故障発生時の内容と故障部品の表示については、図１０と同様に図１２に示すように故障表示用のランプ１２を別に設けても良い。
【００５３】
次にこの発明の実施の形態３による天井埋込形空気調和機の表示部動作を説明する。まず、第１、第２の貫流送風機１０ａ、１０ｂが回転し、その送風作用により吸込口３から吸い込まれた空調空間の空気は、第１、第２の熱交換器９ａ、９ｂを通過して熱交換され、、第１、第２の吹出口４ａ、４ｂへと流れ、第１、第２の上下風向フラップ５ａ、５ｂ、、第１、第２の左右ベーン７ａ、７ｂにより偏向されて再度空調空間へと吹き出される。エアコンの設定温度とエアコン本体で検出された温度を基に制御している室温については、周知の技術により図示はしていないが、それぞれ第１温度モニタランプ１３ａ、第２温度モニタランプ１３ｂ、第３温度モニタランプ１３ｃ、第４温度モニタランプ１３ｄ、第５温度モニタランプ１３ｅ、第６温度モニタランプ１３ｆ、第７温度モニタランプ１３ｇ、第８温度モニタランプ１３ｈにより設定温度は点灯、制御している室温については点滅することにより、エアコンの運転状態を使用者に知らせている。
【００５４】
この２つの第１、第２の吹出口を備えた２方向天井埋込形空気調和機という機種特徴から部屋概中央の天井に設置される場合が多く、第１、第２の吹出口４ａ、４ｂのどちらか一方または両方の側に使用者が存在することが多いなかで、空調機を使用する中で使用者に２つの第１、第２の吹出口４ａ、４ｂとそこに位置する第１、第２の上下風向フラップ５ａ、５ｂ、第１、第２の左右ベーン７ａ、７ｂについてそれぞれを明確に区別認識させる必要がある。そのため第１、第２の吹出口４ａ、４ｂに関する表示をリモコン（図示せず）だけでなく表示部８における第１ゾーン表示ランプ８ｄ、第２表示ランプ８ｅにより行うことで、使用者は常に第１、第２の吹出口４ａ、４ｂと第１、第２の上下風向フラップ５ａ、５ｂまたは左右ベーン７ａ、７ｂがそれぞれどちらに位置しているものか、操作しているリモコンのボタンと吹出口の関係を認識していなくても表示部８により容易にかつ明確に知ることが出来る。リモコン（図示せず）からの指令により、第１の吹出口４ａより吹き出される風量を貫流送風機１０ａの回転数により設定、変更している場合や、第１の吹出口４ａより吹き出される風の方向を第１上下風向フラップ５ａまたは第１左右ベーン７ａの角度により設定、変更している場合には、図４に示すように第１ゾーン表示ランプ８ｄが点灯することで使用者はエアコン本体付近で動作を確認しながらリモコン操作をしなくても容易に認識することが出来る。同様に第２の吹出口４ｂより吹き出される風量、第２の上下風向フラップ５ｂ、または第２の左右ベーン７ｂの角度を設定、変更している場合には図５に示すように第２ゾーン表示ランプ８ｂが点灯することで効果を得る。
【００５５】
また、リモコン（図示せず）からの指令により、第１、第２の吹出口４ａ、４ｂより吹き出される風量を第１、第２の貫流送風機１０ａ、１０ｂの回転数により同時に設定、変更している場合や、第１、第２の吹出口４ａ、４ｂより吹き出される風の方向を第１、第２の上下風向フラップ５ａ、５ｂ、または第１、第２の左右ベーン７ａ、７ｂの角度により同時に設定、変更している場合には、図３に示すように第１ゾーン表示ランプ８ｄ、第２ゾーン２ランプ８ｅがどちらも消灯、または図６に示すように第１ゾーン表示ランプ８ｄ、第２ゾーン２ランプ８ｅがどちらも点灯することで使用者は容易に認識することが出来る。このように第１、第２の貫流送風機１０ａ、１０ｂによる風量や第１、第２の上下風向フラップ５ａ、５ｂや第１、第２の左右ベーン７ａ、７ｂを同様に制御するときは第１ゾーン表示ランプ８ａ、第２ゾーン２ランプ８ｂは同様な表示を行うものとし、例えば第１ゾーン表示ランプ８ｄ、第２ゾーン２ランプ８ｅ両方のランプが点滅表示をしても良い。
【００５６】
また、リモコン（図示せず）からの指令により、第１の吹出口４ａより吹き出される風量を第２の吹出口４ｂより吹き出される風量より大となるような運転を第１、第２の貫流送風機１０ａ、１０ｂの回転数設定により行っている場合には、図４に示すように第１ゾーン表示ランプ８ｄが点灯することで使用者はエアコン本体付近で風量比を感覚、聴感等で確認しながらリモコン操作をしなくてもに容易に、また風量比が感覚、聴感等で確認するのが困難な風量比が小さい場合でも容易に認識することが出来る。加えて第１、第２の吹出口４ａ、４ｂからの風量に風量比をつけた運転中であることをリモコンの表示を見ることなしに使用者が容易に認識することが出来る。逆に図５に示すように風量が小となる第２の吹出口４ｂについて第２ゾーン表示ランプ８ｅが点灯しても良い。同様に第２の吹出口４ｂから吹き出される風量を第１の吹出口４ａより吹き出される風量より大とする場合は、図５に示すように第２ゾーン表示ランプ８ｅが点灯する。逆に図４に示すように風量が小となる第１の吹出口４ａについて第１ゾーン表示ランプ８ｄが点灯しても良い。
【００５７】
また、リモコン（図示せず）からの指令により、第１、第２の吹出口４ａ、４ｂから吹き出される風量を等しくするような運転を第１、第２の貫流送風機１０ａ、１０ｂの回転数設定により行っている場合には、図３に示すよう第１にゾーン表示ランプ８ｄ、第２ゾーン表示ランプ８ｅがどちらも消灯、または図６に示すように第１ゾーン表示ランプ８ｄ、第２ゾーン表示ランプ８ｅがどちらも点灯することで使用者は容易に認識することが出来る。
【００５８】
このように第１、第２の吹出口４ａ、４ｂから吹き出される風量を等しくするような運転をする場合には、第１ゾーン表示ランプ８ｄ、第２ゾーン表示ランプ８ｅは同様な表示を行うものとし、例えば第１ゾーン表示ランプ８ｄ、第２ゾーン表示ランプ８ｅ両方のランプが点滅表示をしても良い。
【００５９】
また、第１の貫流送風機１０ａを運転するファンモータ（図示せず）や第１の上下フラップ５ａを運転するベーンモータ（図示せず）や第１の左右ベーン７ａを運転するベーンモータ（図示せず）や第１の熱交換器９ａに取り付けられたサーミスタ（図示せず）といった第１の吹出口４ａ側に関する故障が発生した時には、図７に示すように第１ゾーン表示ランプ８ｄが点滅または図４に示すように点灯する。同様に第２の吹出口４ｂ側に関する故障発生時には、図８に示すように第２ゾーン表示ランプ８ｅが点滅または図５に示すように点灯する。このようにすることで、２方向吹き出しということでファンモータ（図示せず）、ベーンモータ（図示せず）、サーミスタ（図示せず）などといった複数ある部品について、どちらの吹出口に関するものであるかを容易に知らせることが可能となり、サービス性が向上する。
【００６０】
この発明の実施の形態３による第１温度モニタランプ１３ａ、第２温度モニタランプ１３ｂ、第３温度モニタランプ１３ｃ、第４温度モニタランプ１３ｄ、第５温度モニタランプ１３ｅ、第６温度モニタランプ１３ｆ、第７温度モニタランプ１３ｇ、第８温度モニタランプ１３ｈは周知の技術により図示はしていないが、故障発生時にはいずれかのランプが点滅するとか、その点滅回数によりその内容、故障部品について表示する機能を兼ね備えることも出来るため、故障発生時には第１ゾーン表示ランプ８ｄ、第２ゾーン表示ランプ８ｅの表示とあわせて、第１、第２どちらの吹出口に関するどの部品の故障であるかまでを表示することにより特定することが可能となり、サービス性を更に向上させることも出来る。
【００６１】
なお、第１ゾーン表示ランプ８ｄ、第２ゾーン表示ランプ８ｅの表示を第１温度モニタランプ１３ａ、第２温度モニタランプ１３ｂ、第３温度モニタランプ１３ｃ、第４温度モニタランプ１３ｄ、第５温度モニタランプ１３ｅ、第６１３ｈと表示色または形状を変更しても良く、この場合は２種類のランプの表示の区別がより明確になるといった効果が得られる。
【００６２】
この実施の形態３において、周知の技術である第１温度モニタランプ１３ａ、第２温度モニタランプ１３ｂ、第３温度モニタランプ１３ｃ、第４温度モニタランプ１３ｄ、第５温度モニタランプ１３ｅ、第６温度モニタランプ１３ｆ、第７温度モニタランプ１３ｇ、第８温度モニタランプ１３ｈと、この発明に関する第１ゾーン表示ランプ８ｄ、第２ゾーン表示ランプ８ｅを追加し部品点数としては増加してはいるものの、近傍に設置していることから部品としては一体化することも可能であるため、一体化した場合には解体性という点では従来技術に比べて同等である。
【００６３】
実施の形態４．
以下、この発明の実施の形態４による天井埋込形空気調和機の表示部について説明する。図１３、図１４ａないし図１４ｊはこの発明の実施の形態４を示す天井埋込形空気調和機の表示装置である。図３、図１３および図１４ａないし図１４ｊにおいて、１は室内ユニット筐体、２は化粧パネル、３は空調空間の空気を吸い込む吸込口、４ａおよび４ｂは前記化粧パネル２の奥行き方向において対称に位置する第１の吹出口および第２の吹出口、５ａおよび５ｂはそれぞれ前記第１、第２の吹出口４ａ、４ｂに位置する第１、第２の上下風向フラップ、７ａ、７ｂは第１、第２の左右ベーンで、前記第１、第２の吹出口４ａおよび４ｂの第１、第２の上下風向フラップ５ａ、５ｂ内側に位置している。これら第１、第２の上下風向フラップ５ａ、５ｂ及び第１、第２の左右ベーン７ａ、７ｂは使用者の要求に基づくリモコン（図示せず）からの指令により、第１、第２の吹出口４ａ、４ｂから吹き出される風の方向を同時にまたは個別に設定、変更することが出来る。９ａ、９ｂは天井埋込形空気調和機の筐体１内に逆Ｖに配置した第１、第２の熱交換器、１０ａ、１０ｂはこの第１、第２の熱交換器の第１、第２の吹出口４ａ、４ｂ側に配置した送風作用を行う貫流送風機で、使用者の要求に基づくリモコン（図示せず）からの指令により、第１、第２の吹出口４ａ、４ｂから吹き出される風量の比率を同一、または変更した運転をそれぞれの回転数を調整することで行うことが出来る。
【００６４】
１４は、リモコン設定時または運転中はある一定の周期で、前記第１、第２の吹出口に関する表示、エアコンの設定温度、エアコン本体で検出された温度を基に制御している室温などについて、繰り返して文字化又は記号化により表示を行う第２の表示部で、化粧パネル２の長さ方向一方端部に位置する。この第２の表示部はユニット筐体１に取付けても良い。またエアコンの冷房、ドライ、暖房といった運転内容について表示しても良い。表示部は故障発生時にはその内容、どちらの吹出口に関するどの故障部品について表示する機能も兼ね備えている。表示部は液晶やＬＥＤといった表示であっても良い。１５ａないし１５ｊはこの第２の表示部に表示される具体的なａ表示ないしｊ表示である。
【００６５】
次に、この発明の実施の形態４による天井埋込形空気調和機の表示部の動作を図１、図１３および図１４により説明する。まず、第１、第２の貫流送風機１０ａ、１０ｂが回転し、その送風作用により吸込口３から吸い込まれた空調空間の空気は第１、第２の熱交換器９ａ、９ｂを通過して熱交換され、第１、第２の吹出口４ａ、４ｂへと流れ第１、第２の上下風向フラップ５ａ、５ｂ、第１、第２の左右ベーン７ａ、７ｂにより偏向されて再度空調空間へと吹き出される。エアコンの運転内容や設定温度とエアコン本体で検出された温度を基に制御している室温については、例えばａ表示を「冷房」、ｂ表示「室温２８」、ｃ表示「設定２５」のように第２の表示装置１４により文字化、記号化にてそれぞれエアコンの運転状態を使用者に知らせている。第１、第２の吹出口４ａ、４ｂを備えた２方向天井埋込形空気調和機という機種特徴から部屋概中央の天井に設置される場合が多く、第１、第２の吹出口４ａ、４ｂのどちらか一方または両方の側に使用者が存在することが多いなかで、空調機を使用する際、使用者に第１、第２の吹出口４ａ、４ｂとそこに位置する第１、第２の上下風向フラップ５ａ、５ｂ、第１、第２の左右ベーン７ａ、７ｂについてそれぞれを明確に区別認識させる必要がある。
【００６６】
そのため、第１、第２の吹出口４ａ、４ｂに関する表示をリモコン（図示せず）だけでなく表示装置１５における文字化、記号化による表示をリモコン設定時、および運転中はある一定の周期でエアコンの運転内容、設定温度、エアコン本体で検出された温度を基に制御している室温とともに、それぞれ第１、第２の吹出口４ａ、４ｂに関して文字化と記号化により繰り返して行うことで、使用者は常に第１、第２の吹出口４ａ、４ｂと第１、第２の上下風向フラップ５ａ、５ｂまたは第１、第２の左右ベーン７ａ、７ｂが、それぞれどちらに位置しているものか、操作しているリモコンのボタンと吹出口の関係を認識していなくても表示装置１４の表示形態１５のａ表示ないしｊ表示により容易にかつ明確に知ることが出来る。
【００６７】
また、リモコン（図示せず）からの指令により、第１の吹出口４ａより吹き出される風量を第１の貫流送風機１０ａの回転数により設定、変更している場合や、第１の吹出口４ａより吹き出される風の方向を、第１の上下風向フラップ５ａまたは第１の左右ベーン７ａの角度により設定、変更している場合には、表示形態、表示「■□」１５ｄに示すように第１の吹出口４ａを示す表示をすることで、使用者はエアコン本体付近で動作を確認しながらリモコン操作をしなくても容易に認識することが出来る。同様に第２の吹出口４ｂより吹き出される風量、第２の上下風向フラップ５ｂまたは第２の左右ベーン７ｂの角度を設定、変更している場合には、、表示形態の表示「□■」１５ｅに示すように吹出口４ｂを示す表示をすることで効果を得る。
【００６８】
また、リモコン（図示せず）からの指令により、第１、第２の吹出口４ａ、４ｂより吹き出される風量を第１、第２の貫流送風機１０ａ、１０ｂの回転数により同時に設定、変更している場合や、第１、第２の吹出口４ａ、４ｂより吹き出される風の方向を第１、第２の上下風向フラップ５ａ、５ｂまたは第１、第２の左右ベーン７ａ、７ｂの角度により同時に設定、変更している場合には、表示形態の表示「■■」１５ｆに示すように第１の吹出口４ａ、第２の吹出口４ｂを示す表示がどちらも点灯、または表示形態の表示「□□」１５ｇのようにどちらも消灯することで使用者は容易に認識することが出来る。このように第１、第２の貫流送風機１０ａ、１０ｂによる風量や第１、第２の上下風向フラップ５ａ、５ｂや第１、第２の左右ベーン７ａ、７ｂを同様に制御するときは表示装置１４の吹出口表示は同様な表示を行うものとし、例えば両方が点滅した表示をしても良い。
【００６９】
また、リモコン（図示せず）からの指令により、第１の吹出口４ａより吹き出される風量を第２の吹出口４ｂより吹き出される風量より大となるような運転を第１、第２の貫流送風機１０ａ、１０ｂの回転数設定により行っている場合には、表示形態の表示「■□」１５ｄに示すように第１の吹出口４ａを示すように点灯することで使用者はエアコン本体付近で風量比を感覚、聴感等で確認しながらリモコン操作をしなくてもに容易に、また風量比が感覚、聴感等で確認するのが困難な風量比が小さい場合でも容易に認識することが出来る。加えて第１、第２の吹出口４ａ、４ｂからの風量に風量比をつけた運転中であることをリモコンの表示を見ることなしに使用者が容易に認識することが出来る。逆に表示形態の表示「□■」１５ｅに示すように風量が小となる第２の吹出口４ｂについて表示しても良い。同様に第２の吹出口４ｂから吹き出される風量を第１の吹出口４ａより吹き出される風量より大とする場合は、表示形態の表示「□■」１５ｅに示すように第２の吹出口４ｂについて点灯する。逆に表示形態図の表示「■□」１５ｄに示すように第１の吹出口４ａについて点灯しても良い。
【００７０】
また、リモコン（図示せず）からの指令により、第１、第２の吹出口４ａ、４ｂから吹き出される風量を等しくするような運転を第１、第２の貫流送風機９ａ、９ｂの回転数設定により行っている場合には、表示形態の表示「■■」１５ｆに示すように吹出口表示はどちらも点灯、または表示形態の表示「□□」１５ｇに示すように吹出口表示はどちらも消灯することで使用者は容易に認識することが出来る。このように第１、第２の吹出口４ａ、４ｂから吹き出される風量を等しくするような運転をする場合には、表示装置１５の吹出口表示は同様な表示を行うものとし、例えば両方が点滅した表示をしても良い。リモコン設定時や運転中には例えば「冷房」運転、「室温２８」℃、「設定２５」℃の場合には、表示形態の表示「冷房」１５ａ、表示形態の表示「室温２８」１５ｂ、表示形態の表示「設定２５」１５ｃ、とモードに応じて表示形態１５のｄ表示〜ｉ表示の表示がある一定の周期で表示される。
【００７１】
また、第１の貫流送風機１０ａを運転するファンモータ（図示せず）や第１の上下フラップ５ａを運転するベーンモータ（図示せず）や第１の熱交換器９ａに取り付けられたサーミスタ（図示せず）といった第１の吹出口４ａ側に関する故障が発生した時には、表示形態の表示「■□」１５ｄに示すように点灯、または表示形態の表示「□□」１５ｈに示すように点滅する。同様に第２の吹出口４ｂ側に関する故障発生時には表示形態の表示「□■」１５ｅに示すように、点灯または表示形態の表示「□□」１５ｉに示すように点滅する。このようにすることで、２方向吹き出しということでファンモータ（図示せず）、ベーンモータ（図示せず）、サーミスタ（図示せず）といった複数ある部品について、どちらの吹出口に関するものであるかを容易に知らせることが可能となり、サービス性が向上する。
【００７２】
また、故障発生内容、故障部品については文字化または記号化にて表示する機能を兼ね備えることも出来るため、故障発生時には表示形態のｊ表示「モータ」１５ｊ、１５のｄ表示、１５のｅ表示、１５のｆ表示、１５のｇ表示、１５のｈ表示、１５のｉ表示のいずれかの表示で繰り返される表示により、第１、第２のいずれの吹出口に関するどの部品の故障であるかまで、表示により特定することが可能となり、サービス性を更に向上させることも出来る。
【００７３】
【発明の効果】
この発明は、以上説明したように構成されているので以下に記載されるような効果がある。
【００７４】
この発明による空気調和機は、熱交換器および複数の吹出口を有する化粧パネルを備えた室内ユニット筐体と、前記熱交換器に室内空気を循環させ、前記複数の吹出口より吹き出す空気の風量を変更する複数の送風機と、前記複数の吹出口より吹き出す空気の風向を変更する上下フラップまたは左右ベーンと、を備えた空気調和機において、前記複数の吹出口の各吹出口毎に設けられたゾーン表示ランプを前記化粧パネルまたは前記室内ユニット筐体に備え、前記複数の吹出口の１つの吹出口より吹き出される風量、風向の設定をする場合に、設定している前記１つの吹出口の前記ゾーン表示ランプを点灯し、前記複数の吹出口より吹き出される風量、風向の設定を同時に行なう場合に、設定している前記複数の吹出口の前記ゾーン表示ランプをすべて点灯または消灯または点滅するようにしたから、使用者に複数の吹出口とそこに位置する上下風向フラップまたは左右ベーンについてそれぞれを明確に区別認識することが容易に出来、使いやすさが向上するという効果がある。また、本体付近にて風量、上下風向フラップまたは左右ベーンの動作を確認しながらリモコン操作することなしに使用者はどちらの吹出口に関する風量、風向の設定を行っているかが明確に認識出来、操作性が向上するという効果がある。また、使用者に複数の吹出口とそこに位置する上下風向フラップまたは左右ベーンについて同時に設定しているか、または、別に設定しているかを明確に区別認識することが容易に出来、操作性が向上するという効果がある。
【００７７】
また、この発明による空気調和機は、熱交換器および２つの吹出口を有する化粧パネルを備えた室内ユニット筐体と、前記熱交換器に室内空気を循環させ、前記２つの吹出口より吹き出す空気の風量を変更する２つの送風機と、を備えた空気調和機において、前記２つの吹出口の第１の吹出口と第２の吹出口それぞれに設けられたゾーン表示ランプを前記化粧パネルまたは前記室内ユニット筐体に備え、前記第１の吹出口から吹き出される風量を前記第２の吹出口から吹き出される風量より大となるような風量に風量比をつけた運転を行なっている場合には、前記第１の吹出口または前記第２の吹出口の前記ゾーン表示ランプを点灯し、前記２つの吹出口から吹き出される風量の比率を変更した運転中であることを認識できるようにしたから、本体付近にて風量比率を体感または聴感にて確認しながらリモコン操作をする必要がなく、またその比率が小さい場合でも使用者はどちらの吹出口に関する風量を大または小とする設定を行っているかが明確に認識出来、操作性が向上するという効果がある。
【００７８】
また、この発明による空気調和機は、熱交換器および２つの吹出口を有する化粧パネルを備えた室内ユニット筐体と、前記熱交換器に室内空気を循環させ、前記２つの吹出口より吹き出す空気の風量を変更する２つの送風機と、を備えた空気調和機において、前記２つの吹出口の第１の吹出口と第２の吹出口それぞれに設けられたゾーン表示ランプを前記化粧パネルまたは前記室内ユニット筐体に備え、前記第１の吹出口から吹き出される風量を前記第２の吹出口から吹き出される風量より大となるような風量に風量比をつけた運転を行なっている場合には、前記第１の吹出口または前記第２の吹出口の前記ゾーン表示ランプを点灯し、前記２つの吹出口から吹き出される風量の比率の等しい運転をする場合には、風量の比率の等しい運転を行なっている前記２つの吹出口の前記ゾーン表示ランプをすべて点灯または消灯または点滅するようにしたから、本体付近にて風量比率を体感または聴感にて確認しながらリモコン操作をする必要がなく、またその比率が小さい場合でも使用者はどちらの吹出口に関する風量を大または小とする設定を行っているかが明確に認識出来、操作性が向上するという効果がある。また、複数の吹出口から吹き出される風量の比率の等しい運転をする場合に、そのような運転中であることをエアコン本体では確認出来、使い易さが向上するという効果がある。
【００７９】
また、この発明による空気調和機は、故障発生時にはどの前記吹出口側に対応している部品に関する故障であるかを、故障が発生した前記吹出口側の前記ゾーン表示ランプを点滅または点灯して表示するようにしたから、故障が発生した場合には、どの吹出口側に対応する部品に関するものであるかを、容易にかつ明確に特定することが出来、サービス性が向上するという効果がある。
【００８０】
また、この発明による空気調和機は、設定温度と室温との温度差に応じて運転状態を表示する表示ランプを前記ゾーン表示ランプの近傍に設置した構成としたから、ユニットの運転状態を容易に認識できる効果がある。
【００８１】
また、この発明による空気調和機は、設定温度と室温について表示する表示ランプを前記ゾーン表示ランプの近傍に設置した構成としたから、ユニットの運転状態が容易に認識でき、使い勝手が向上するという効果がある。
【００８２】
また、この発明による空気調和機は、故障発生内容を表示する表示ランプを前記ゾーン表示ランプの近傍に設置した構成としたから、故障発生時にはどの吹出口側に対応する、どの部品に関するものであるかを容易に、かつ明確に特定することができ、サービス性の向上を図るという効果がある。
【００８３】
また、この発明による空気調和機は、設定温度と室温との温度差に応じた運転状態表示と故障発生内容の表示を兼用して表示をする表示ランプを前記ゾーン表示ランプの近傍に設置した構成としたから、運転状態の確認がし易く、かつサービス性の向上を図るという効果がある。
【００８４】
また、この発明による空気調和機は、設定温度と室温、故障発生内容の表示を兼用して表示をする表示ランプを前記ゾーン表示ランプの近傍に設置した構成としたから、使用者の希望する運転状態で容易に制御でき、故障発生時には迅速に対応し、使用者に不快感を与えることなく、サービスすることができる効果がある。
【００８５】
また、この発明による空気調和機は、前記吹出口を表示する前記ゾーン表示ランプは他の表示ランプと別の色、または形状とした構成としたから、使用者の幅を広げ、誰でも簡単に運転状態を確認でき、希望の室内温度を得ることができる効果がある。
【図面の簡単な説明】
【図１】  この発明の実施の形態１による天井埋込形空気調和機を示す断面図である。
【図２】  この発明の実施の形態１による天井埋込形空気調和機の化粧パネルを示す正面図である。
【図３】  この発明の実施の形態１による表示装置の表示ランプがどちらも消灯している状態を示す説明図である。
【図４】  この発明の実施の形態１による表示装置の第１ゾーン表示ランプが点灯している状態を示す説明図である。
【図５】  この発明の実施の形態１による表示装置の第２ゾーン表示ランプが点灯している状態を示す説明図である。
【図６】  この発明の実施の形態１による表示装置の第1ゾーン表示ランプ及び第２ゾーン表示ランプどちらも点灯している状態を示す説明図である。
【図７】  この発明の実施の形態１による表示装置の第1ゾーン表示ランプが点滅している状態を示す説明図である。
【図８】  この発明の実施の形態１による表示装置の第２ゾーン表示ランプが点滅している状態を示す説明図である。
【図９】  この発明の実施の形態２による表示装置のゾーン表示ランプとパワーモニタランプの配置を示す説明図である。
【図１０】  この発明の実施の形態２による表示装置の故障表示ランプを配置して示す説明図である。
【図１１】  この発明の実施の形態３による表示装置のゾーン表示ランプと温度モニタランプ配置を示す説明図である。
【図１２】  この発明の実施の形態３による表示装置の故障表示ランプを配置して示す説明図である。
【図１３】  この発明の実施の形態４による天井埋込形空気調和機の化粧パネルを示す正面図である。
【図１４】  この発明の実施の形態４による表示装置の表示形態を示す説明図である。
【図１５】  従来の天井埋込形空気調和機の表示装置を示す斜視図である。
【図１６】  図１５の表示部を示す説明図である。
【符号の説明】
１  ユニット筐体、２  化粧パネル、３  吸込口、４ａ  第１の吹出口、４ｂ第２の吹出口、５ａ  第１の上下フラップ、５ｂ  第２の上下フラップ、７ａ第１の左右ベーン、７ｂ  第２の左右ベーン、８  表示装置、８ｄ  第１ゾーン表示ランプ、８ｅ  第２ゾーン表示ランプ、９ａ  第１の熱交換器、９ｂ  第２の熱交換器、１０ａ  第１の貫流送風機、１０ｂ  第２の貫流送風機、１１ａ第１パワーモニタランプ、１１ｂ  第２パワーモニタランプ、１２  故障表示ランプ、１３ａ  第１温度モニタランプ、１３ｂ  第２温度モニタランプ、１３ｃ  第３温度モニタランプ、１３ｄ  第４温度モニタランプ、１３ｅ  第５温度モニタランプ、１３ｆ  第６温度モニタランプ、１３ｇ  第７温度モニタランプ、１３ｈ  第８温度モニタランプ、１４  第２の表示装置、１５ａ  ａ表示、１５ｂ  ｂ表示、１５ｃ  表示、１５ｄ  ｄ表示、１５ｅ  ｅ表示、１５ｆ  ｆ表示、１５ｇ  ｇ表示、１５ｈ  ｈ表示、１５ｉ  ｉ表示、１５ｊ  ｊ表示。
【図１】
0004379954.tif 000002
【図２】
0004379954.tif 000003
【図３】
0004379954.tif 000004
【図４】
0004379954.tif 000005
【図５】
0004379954.tif 000006
【図６】
0004379954.tif 000007
【図７】
0004379954.tif 000008
【図８】
0004379954.tif 000009
【図９】
0004379954.tif 000010
【図１０】
0004379954.tif 000011
【図１１】
0004379954.tif 000012
【図１２】
0004379954.tif 000013
【図１３】
0004379954.tif 000014
【図１４】
0004379954.tif 000015
【図１５】
0004379954.tif 000016
【図１６】
0004379954.tif 000017